(57)【要約】【課題】前記広色域ディスプレイによってそれより狭い色再現範囲の規格に準拠した映像信号に基づく映像表示を行う場合に，彩度の高い鮮やかな赤色を表示可能な前記広色域ディスプレイの長所を活かしつつ，明度及び彩度が最高に近い一部の赤色の色領域の映像が光って見えてしまう問題を解消できること。【解決手段】映像処理回路２が，液晶パネル４の色再現範囲（ｓＲＧＢ規格の色再現範囲よりも広い拡張色再現範囲）における，赤色の色相を中心とする所定の色相範囲内の最高の彩度から中間の彩度に至る所定の彩度範囲内であり，その範囲内における最高の明度から中間の明度に至る所定の明度範囲内である補正対象色範囲内の色を表す前記入力映像信号の信号値を，その彩度及び明度が，前記拡張色再現範囲と前記入力映像信号の準拠する規格の色再現範囲との間の予め定められた中間の色範囲内の彩度及び明度へ変化するよう縮小補正する。【選択図】図１
2010166158.tif 000002
【特許請求の範囲】
【請求項１】
ｓＲＧＢ規格の色再現範囲よりも広い色再現範囲である拡張色再現範囲で映像を表示する広色域ディスプレイを備え，前記拡張色再現範囲よりも狭い色再現範囲の規格に準拠した入力映像信号を補正して前記広色域ディスプレイに入力させる映像表示装置であって，
前記拡張色再現範囲における，赤色の色相を中心とする所定の色相範囲内の最高の彩度から中間の彩度に至る所定の彩度範囲内であり，その範囲内における最高の明度から中間の明度に至る所定の明度範囲内である補正対象色範囲内，の色を表す前記入力映像信号の信号値を，その彩度及び明度が前記拡張色再現範囲と前記入力映像信号の準拠する規格の色再現範囲との間の予め定められた中間の色範囲内の彩度及び明度へ変化するよう縮小補正する信号補正手段，
を具備してなることを特徴とする映像表示装置。
【請求項２】
前記予め定められた中間の色範囲が，前記補正対象色範囲における前記拡張色再現範囲を基準にして，彩度が最高の彩度に近づくほどその彩度における明度の上限がより低くなる範囲である請求項１に記載の映像表示装置。
【請求項３】
前記広色域ディスプレイが，ＬＥＤを光源とするバックライトにより照明される液晶パネルである請求項１又は２のいずれかに記載の映像表示装置。
【請求項４】
前記所定の彩度範囲の下限となる前記中間の彩度が，前記拡張色再現範囲における赤色の色相での最高の彩度に対して略７０％の彩度である請求項３に記載の映像表示装置。
【請求項５】
前記予め定められた中間の色範囲が，Ｌ*ｕ'ｖ'色空間における彩度Ｃｕ'ｖ'と明度Ｌ*とが次の（Ａ１）式を満たす色範囲である請求項３に記載の映像表示装置。
Ｌ*≦−１７８．８×Ｃｕ'ｖ'＋１０５．１  …（Ａ１）
【発明の詳細な説明】
【技術分野】
【０００１】
本発明は，ｓＲＧＢ規格の色再現範囲よりも広い色再現範囲を有する広色域ディスプレイを備えた映像表示装置に関するものである。
【背景技術】
【０００２】
従来の一般的な映像表示装置は，ＩＥＣ（国際電気標準会議）の国際標準規格であるｓＲＧＢ（standard RGB）規格の色再現範囲（以下，標準色再現範囲という）の色で映像を表示可能なディスプレイ（以下，標準色域ディスプレイという）を備えている。これに対し，昨今の映像表示装置，特に，液晶表示装置は，高画質化が進み，従来よりも色の表現可能範囲が拡大する傾向にある。
例えば，発光色の色純度が高いＬＥＤを光源とするバックライト，及びそのバックライトにより照明される液晶パネル（ディスプレイの一例）を備えた液晶表示装置は，ｓＲＧＢ規格に準拠した映像信号が入力された場合，その映像信号を直接用いて映像表示を行うと，ｓＲＧＢ規格の色再現範囲よりも広い色再現範囲（以下，拡張色再現範囲という）の色で映像が表示される。そのようなディスプレイ（以下，広色域ディスプレイという）は，前記標準色域ディスプレイよりも鮮やかな（彩度の高い）色を表示可能である。
【０００３】
図４は，ｓＲＧＢ規格に準拠した映像信号に基づく映像表示を行う場合について，前記標準色域ディスプレイにより表示可能な赤色の色相の色再現範囲Ｃｓ１と前記広色域ディスプレイにより表示可能な赤色の色相の色再現範囲Ｃｓ２とをＬ*Ｃｕ'ｖ'色度図上に表した図である。図４に示されるＬ*−Ｃｕ'ｖ'平面は，Ｙｃｂｃｒ座標系における赤色の色相の方向（極座標の角度が１０９°の方向）の断面（縦軸がＹ［明度］）に相当する。
図４に示されるように，前記広色域ディスプレイは，色再現範囲Ｃｓ２が前記標準色域ディスプレイの色再現範囲Ｃｓ１よりも広く，より明度（Ｌ*）及び彩度（Ｃｕ'ｖ'）の高い色を表示可能である。
そのため，前記広色域ディスプレイにより，ｓＲＧＢ規格に準拠した映像信号に基づく映像表示が行われると，非常に彩度の高い赤色については，映像信号が表す本来の色が非常に鮮やかに再現された映像となる。
【先行技術文献】
【特許文献】
【０００４】
【特許文献１】特開平８−１３０６５５号公報
【発明の概要】
【発明が解決しようとする課題】
【０００５】
しかしながら，前記広色域ディスプレイにより，ｓＲＧＢ規格に準拠した映像信号に基づいて，明度（Ｌ*）及び彩度（Ｃｕ'ｖ'）が最高に近い赤色の色領域Ｃsxについての映像表示が行われると，その映像が発光部の映像のように光って見えてしまい，かえって画質が悪化するという問題点があった。
そのような問題点に対し，特許文献１に示されるように，その前記広色域ディスプレイの表示色が，前記拡張色再現範囲Ｃｓ２の色範囲から前記標準色再現範囲Ｃｓ１の色範囲となるように，映像信号に対して色域圧縮処理を施すことも考えられる。
しかしながら，映像信号に色域圧縮処理を施すことは，彩度の高い鮮やかな赤色を表示可能な前記広色域ディスプレイの長所を活かせないという問題点があった。以上の問題点は，入力映像信号の準拠する規格の色再現範囲が，前記広色域ディスプレイの色再現範囲（前記拡張色再現範囲Ｃｓ２）よりも狭い場合に同様に生じ得る。
従って，本発明は上記事情に鑑みてなされたものであり，その目的とするところは，前記広色域ディスプレイによってそれより狭い色再現範囲の規格に準拠した映像信号に基づく映像表示を行う場合に，彩度の高い鮮やかな赤色を表示可能な前記広色域ディスプレイの長所を活かしつつ，明度及び彩度が最高に近い一部の赤色の色領域の映像が光って見えてしまう問題を解消できる映像表示装置を提供することにある。
【課題を解決するための手段】
【０００６】
上記目的を達成するために，本発明に係る映像表示装置は，ｓＲＧＢ規格の色再現範囲よりも広い色再現範囲である拡張色再現範囲を有する広色域ディスプレイを備え，前記拡張色再現範囲よりも狭い色再現範囲の規格（例えば，ｓＲＧＢ規格やｓＹＣＣ規格等）に準拠した入力映像信号を補正して前記広色域ディスプレイに入力させるものであり，次の（１）に示される構成要素を備えている。
（１）前記拡張色再現範囲における，赤色の色相を中心とする所定の色相範囲内の最高の彩度から中間の彩度に至る所定の彩度範囲内であり，その範囲内における最高の明度から中間の明度に至る所定の明度範囲内である補正対象色範囲内，の色を表す前記入力映像信号の信号値を，その彩度及び明度が前記拡張色再現範囲と前記入力映像信号の準拠する規格の色再現範囲との間の予め定められた中間の色範囲内の彩度及び明度へ変化するよう縮小補正する信号補正手段。
ここで，前記予め定められた中間の色範囲は，例えば，前記補正対象色範囲における前記拡張色再現範囲を基準にして，彩度が最高の彩度に近づくほどその彩度における明度の上限がより低くなる範囲である。
【０００７】
本発明によれば，明度及び彩度が最高に近い一部の赤色の色領域である前記補正対象色範囲の色の彩度及び明度が，前記拡張色再現範囲と前記入力映像信号の準拠する規格の色再現範囲との間の中間の色範囲内の彩度及び明度へ変化するよう色補正が行われる。
これにより，明度及び彩度が最高に近い一部の赤色の色領域の映像が光って見えてしまう問題を解消できる。しかも，前記補正対象色範囲以外の色については，前記色補正の対象外であり，また，前記色補正がなされても，前記入力映像信号の準拠する規格の色再現範囲よりも広い色再現範囲が確保されるので，彩度の高い鮮やかな赤色を表示可能な前記広色域ディスプレイの長所を活かすことができる。
また，前記広色域ディスプレイの典型例は，ＬＥＤを光源とするバックライトにより照明される液晶パネルである。
そして，複数の被験者により，ＬＥＤを光源とするバックライトにより照明される液晶パネルを前記広色域ディスプレイとして用いて視覚を通じた評価実験を行った結果，前記所定の彩度範囲の下限となる前記中間の彩度は，例えば，前記拡張色再現範囲における赤色の色相での最高の彩度に対して略７０％の彩度であることが好適である。
また，前記評価実験の結果から，前記予め定められた中間の色範囲は，例えば，Ｌ*ｕ'ｖ'色空間における彩度Ｃｕ'ｖ'と明度Ｌ*とが次の（Ａ１）式を満たす色範囲であることが好適である。
Ｌ*≦−１７８．８×Ｃｕ'ｖ'＋１０５．１  …（Ａ１）
【発明の効果】
【０００８】
本発明によれば，広色域ディスプレイによってその色再現範囲よりも狭い色再現範囲の規格（ｓＲＧＢ規格等）に準拠した映像信号に基づく映像表示を行う場合に，彩度の高い鮮やかな赤色を表示可能な前記広色域ディスプレイの長所を活かしつつ，明度及び彩度が最高に近い一部の赤色の色領域の映像が光って見えてしまう問題を解消できる。
【図面の簡単な説明】
【０００９】
【図１】本発明の実施形態に係る映像表示装置の一例である液晶表示装置Ｘの概略構成を表すブロック図。
【図２】液晶表示装置Ｘにおける色補正の範囲をＬ*Ｃｕ'ｖ'色度図上で表した図。
【図３】液晶表示装置Ｘにおける映像が光って見える色の範囲をＬ*Ｃｕ'ｖ'色度図上で表した図。
【図４】ｓＲＧＢ規格に準拠した映像信号に基づく映像表示を行う場合の標準色域ディスプレイの赤色の色相の色再現範囲と広色域ディスプレイの赤色の色相の色再現範囲とをＬ*Ｃｕ'ｖ'色度図上に表した図。
【図５】液晶表示装置Ｘにおける色補正の範囲をＹｒｔ色空間において表した図。
【発明を実施するための形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
【００１１】
まず，図１に示されるブロック図を参照しつつ，本発明の実施形態に係る映像表示装置の一例である液晶表示装置Ｘの構成について説明する。
図１に示されるように，液晶表示装置Ｘは，映像信号入力部１，映像処理回路２，液晶駆動回路３，液晶パネル４，ＬＥＤ給電回路５，ＬＥＤバックライト６，調光回路７，メイン制御回路８等を備えている。
前記ＬＥＤバックライト６は，ＬＥＤを光源として前記液晶パネル４を照明するバックライトである。前記ＬＥＤは，映像を表示する前記液晶パネル４の背面側に配列され，それぞれ白色ＬＥＤ又はＲＧＢ３色のＬＥＤ（３個のＬＥＤ）からなる光源である。
そして，このＬＥＤバックライト６により照明される前記液晶パネル４は，ｓＲＧＢ規格に準拠した映像信号が前記映像信号入力部１及び前記映像処理回路２を通じて前記液晶駆動回路３に入力された場合に，ｓＲＧＢ規格の色再現範囲（図２〜図４における前記標準色再現範囲Ｃｓ１）よりも広い前記拡張色再現範囲Ｃｓ２（図２〜図４参照）における色で映像を表示する広色域ディスプレイの一例である。なお，ＬＥＤ以外を光源とするバックライトが採用されることも考えられる。
【００１２】
前記映像信号入力部１は，映像信号を入力するインターフェースである。以下，この映像信号入力部１を通じて入力される映像信号を入力映像信号と称する。
前記映像処理回路２は，前記入力映像信号に基づく各種の信号処理を実行する回路である。
例えば，前記映像処理回路２は，前記メイン制御回路８からの指令に応じて，前記入力映像信号の信号値の補正を行う。
より具体的には，前記映像処理回路２は，前記メイン制御回路８から後述する"標準モード"で動作する旨の指令を受けた場合に，前記入力映像信号に対する色域圧縮処理を行う。この色域圧縮処理は，例えば特許文献１に示されるように，前記液晶パネル４（広色域ディスプレイ）の表示色が，前記拡張色再現範囲Ｃｓ２の色範囲から前記標準色再現範囲Ｃｓ１の色範囲となるように，前記入力映像信号を補正する処理である。これにより，前記液晶パネル４において，ｓＲＧＢ規格に準拠した前記入力映像信号に基づく映像が，従来の標準色域ディスプレイでの表示色とほぼ同等の色で表示される。なお，前記色域圧縮処理の具体的内容については，ここでは記載を省略する。
また，前記映像処理回路２は，前記メイン制御回路８から後述する"鮮やかモード"で動作する旨の指令を受けた場合に，前記入力映像信号の信号値を補正することにより，前記入力映像信号が表す色の明度及び彩度を補正する色補正処理を実行する。前記色補正処理の詳細については後述する。
【００１３】
また，前記映像処理回路２は，１フレーム分の前記入力映像信号又はその入力映像信号に前記色補正処理を施した後の信号である１フレーム分の表示対象映像信号に基づいて，動画における１コマの画像を構成する各画素の３原色（Ｒ，Ｇ，Ｂ）それぞれの映像輝度（画素階調）を表すフレーム信号を順次生成し，そのフレーム信号を前記液晶駆動回路３に伝送する。
また，前記映像処理回路２は，１フレーム分の前記入力映像信号が入力されるごとに，前記表示対象映像信号における映像輝度（階調レベル）の指標値として，平均輝度レベル（いわゆるＡＰＬ(Average Picture Level)）を算出し，その算出結果を前記調光回路７に伝送する。前記平均輝度レベルは，１フレーム分の前記表示対象映像信号における各画素の３原色（Ｒ，Ｇ，Ｂ）の映像輝度（階調レベル）の加重平均値である。
【００１４】
前記液晶駆動回路３は，前記映像処理回路２から所定周期で順次伝送されてくる前記フレーム信号に基づいて，そのフレーム信号に対応する１フレーム分の映像（１コマの画像）を前記液晶パネル４に順次表示させる回路である。
より具体的には，前記液晶駆動回路３は，液晶表示パネルに設けられた各画素の液晶素子に対し，Ｒ，Ｇ，Ｂ３原色それぞれの階調レベル（輝度レベルといってもよい）に応じた電圧（階調電圧）の階調信号を供給する。これにより，前記液晶パネル４は，前記入力映像信号に基づく映像（動画）を表示する。
【００１５】
前記調光回路７は，前記映像処理回路２により検出（算出）された前記平均輝度レベルに基づいて，前記ＬＥＤバックライト６における各ＬＥＤの輝度を決定する。さらに，前記調光回路７は，決定した輝度に応じて前記ＬＥＤバックライト６における各ＬＥＤに対する供給電力の制御値（例えば，ＰＷＭ制御におけるデューティー比）を決定し，その制御値を前記ＬＥＤ給電回路５に対して設定（出力）する。
前記ＬＥＤ給電回路５は，前記調光回路７により設定された前記制御値に応じた電力を前記ＬＥＤバックライト６における各ＬＥＤに対して供給する。これにより，前記ＬＥＤバックライト６の輝度が，前記調光回路７により決定された輝度に調節される。
なお，前記映像処理回路２や前記調光回路７は，例えばＦＰＧＡやＡＳＩＣ等により具現化されている。
【００１６】
前記ＬＥＤ給電回路５は，前記調光回路７からの制御指令に従って，前記ＬＥＤバックライト６における各ＬＥＤに対する供給電力を調節する回路である。例えば，前記ＬＥＤ給電回路５は，ＰＷＭ制御によって各ＬＥＤに対する供給電力を調節する。或いは，前記ＬＥＤ給電回路５が，ＤＣ電圧のレベル調節によって各ＬＥＤの調光を行うことも考えられる。
【００１７】
前記メイン制御回路８は，演算手段であるＭＰＵ８１及び不揮発性メモリであるＥＥＰＲＯＭ８２等を備え，前記ＭＰＵ８１が不図示のＲＯＭに記憶された制御プログラムを実行することにより，当該液晶表示装置Ｘが備える各構成要素の制御処理を実行するものである。
例えば，前記メイン制御回路８において，前記ＭＰＵ８１は，不図示のリモート操作器を通じた操作入力に従って，映像表示モードの切り替え処理を行う。ここで，前記映像表示モードは，前記映像処理回路２の動作モードである。
より具体的には，前記ＭＰＵ８１は，前記操作入力に従って，２種類の前記映像表示モードである標準モードと鮮やかモードとの切り替え処理を行う。そして，切り替え後の前記映像表示モードで動作する旨の指令が，前記ＭＰＵ８１から前記映像処理回路２に対して出力される。
前記標準モードは，前記液晶パネル４（広色域ディスプレイ）の表示色が，図２に示される前記拡張色再現範囲Ｃｓ２の色範囲から前記標準色再現範囲Ｃｓ１の色範囲となるように，ｓＲＧＢ規格に準拠した前記入力映像信号に対して前記色域圧縮処理を施す動作モードである。
また，前記鮮やかモードは，ｓＲＧＢ規格に準拠した前記入力映像信号の信号値を補正することにより，前記拡張色再現範囲Ｃｓ２における中間的な彩度の赤色系統の色ズレが解消されるように，前記入力映像信号が表す色の色相を補正する色補正処理を実行する動作モードである。
【００１８】
次に，図２及び図３を参照しつつ，前記鮮やかモードにおいて実行される前記色補正処理について説明する。なお，図２及び図３に示されるＬ*−Ｃｕ'ｖ'平面は，Ｙｃｂｃｒ座標系における赤色の色相の方向（極座標の角度が１０９°の方向）の断面（縦軸がＹ［明度］）に相当する。
図４と同様に，図２，３には，ｓＲＧＢ規格に準拠したディスプレイの赤色の色相の色再現範囲Ｃｓ１と前記液晶パネル４の赤色の色相の色再現範囲Ｃｓ２とが示されている。
【００１９】
前記液晶パネル４により，ｓＲＧＢ規格に準拠した映像信号に基づいて，明度（Ｌ*）及び彩度（Ｃｕ'ｖ'）が最高に近い赤色の色領域についての映像表示が行われると，その映像が発光部の映像のように光って見えてしまう。
そこで，複数の被験者により，前記液晶パネル４を用いて視覚を通じた評価実験を行い，視覚上良好に見える色領域を調査した。
その評価実験の結果，前記拡張色再現範囲Ｃｓ２のうち，図３に斜線で示される色領域（明度［Ｌ*］及び彩度［Ｃｕ'ｖ'］の領域）を除く内側（明度が下がる方向）の色領域の映像であれば，視覚上良好に見えることがわかった。逆に，図３に斜線で示される色領域の映像は，発光部の映像のように光って見えてしまう，或いはそれに近い状況となり，かえって画質が悪化することがわかった。
図３に斜線で示される色領域は，前記拡張色再現範囲Ｃｓ２における以下の（Ｂ１）式で表される直線Ｌｘより上側（明度Ｌ*が高い側）の領域である。
Ｌｘ＝−１７８．８×Ｃｕ'ｖ'＋１０５．１  …（Ｂ１）
【００２０】
そこで，前記映像処理回路２は，図３に斜線で示される色領域内の色を表す前記入力映像信号の信号値を，その明度及び彩度が，図３に斜線で示される色領域よりも内側の色領域内の明度及び彩度へ変化するように縮小補正する。
即ち，前記映像処理回路２は，前記拡張色再現範囲Ｃｓ２における，赤色の色相を中心とする所定の色相範囲内の最高の彩度ＳＡＴ1から中間の彩度ＳＡＴ2に至る彩度範囲内であり，その範囲内における最高の明度ＢＲＩ1から中間の明度ＢＲＩ2に至る明度範囲内を補正対象色範囲Ａｙとする。
そして，前記映像処理回路２は，前記補正対象色範囲Ａｙ内の色を表す前記入力映像信号の信号値を，その彩度（Ｃｕ'ｖ'）及び明度（Ｌ*）が，前記拡張色再現範囲Ｃｓ２と前記入力映像信号の準拠するｓＲＧＢ規格の色再現範囲Ｃｓ１との間の予め定められた中間の色範囲内の彩度及び明度へ変化するよう縮小補正する信号補正処理を実行する。
ここで，前記中間の色範囲は，前記補正対象色範囲Ａｙにおける前記拡張色再現範囲Ｃｓ２を基準にして，彩度（Ｃｕ'ｖ'）が最高の彩度ＳＡＴ1に近づくほどその彩度（Ｃｕ'ｖ'）における明度（Ｌ*）の上限がより低くなる（即ち，明度の上限が右下がりとなる）範囲である。
また，前記補正対象色範囲Ａｙにおける彩度範囲の下限となる前記中間の彩度ＳＡＴ2（≒０．２４）は，前記拡張色再現範囲Ｃｓ２における赤色の色相での最高の彩度ＳＡＴ1（≒０．３６）に対して概ね７０％の彩度である。
より具体的には，前記中間の色範囲は，Ｌ*ｕ'ｖ'色空間における彩度Ｃｕ'ｖ'と明度Ｌ*とが次の（Ｃ１）式を満たす色範囲である。
Ｌ*≦−１７８．８×Ｃｕ'ｖ'＋１０５．１  …（Ｃ１）
なお，図２において，Ｐｙの位置の色は，前記拡張色再現範囲Ｃｓ２における赤色の色相での最高の彩度ＳＡＴ1のときの最高の明度Ｌ*の色である。
【００２１】
次に，前記拡張色再現範囲内の一部の色領域内の色を，その色領域内において色補正するための前記入力映像信号の信号値の補正処理について説明する。なお，その補正処理は，前記映像処理回路２により実行される。
前記メイン制御回路のＥＥＰＲＯＭ８２には，色調整用パラメータが予め記憶されており，その色調整用パラメータが，前記ＭＰＵ８１によって前記映像処理回路２に引き渡される。
前記色調整用パラメータには，色調整の対象とする指定色領域Ａｘを特定する輝度，彩度及び色相各々の指定範囲に関するパラメータｙc，ｒc，ｔc，ｙw，ｒw，ｔwと，輝度，彩度及び色相各々の調整量の基準となる基準補正係数ｋbri，ｋsat，ｋhueとが含まれる。
また，前記輝度，彩度及び色相各々の指定範囲に関するパラメータには，前記指定色領域Ａｘにおける，輝度の中心値ｙc，彩度の中心値ｒc及び色相の中心値ｔcと，それら各中心値を基準とする輝度の幅ｙw，彩度の幅ｒw及び色相の幅ｔwとが含まれている。即ち，前記指定色領域Ａｘは，これらのパラメータｙc，ｒc，ｔc，ｙw，ｒw，ｔwにより特定される前記輝度，彩度及び色相各々の指定範囲により定まる色領域である。
なお，輝度の中心値ｙc，彩度の中心値ｒc及び色相の中心値ｔcにより，前記指定色領域Ａｘの中心位置Ｐｃの座標が定まる。
また，本実施形態では，前記輝度の幅ｙw，前記彩度の幅ｒw及び前記色相の幅ｔwは，前記指定色領域Ａｘにおける輝度，彩度及び色相各々の全幅の二分の一を表すパラメータであるが，前記輝度の幅ｙw，前記彩度の幅ｒw及び前記色相の幅ｔwが前記指定色領域Ａｘにおける輝度，彩度及び色相各々の全幅を表すパラメータである例も考えられる。
【００２２】
ここで，前記入力映像信号のＹ値（輝度値），Ｃｂ値（青の差分信号値）及びＣｒ値（赤の差分信号値）を，それぞれＹin，Ｃｂin，Ｃｒinとする。
前記映像処理回路２は，前記入力映像信号のＣｂ値及びＣｒ値（Ｃｂin，Ｃｒin）に基づいて，前記入力映像信号のＣｂ−Ｃｒ平面における彩度及び色相を特定する極座標（ｒin，ｔin）を算出する。この極座標（ｒin，ｔin）は，周知のＣｏｒｄｉｃ（Cordinate Rotation Computer）アルゴリズムに基づき算出することができる。
次に，前記映像処理回路２は，次の（Ｄ１）式に基づいて，前記入力映像信号の色（Ｙin，ｒin，ｔin）の中心位置Ｐｃの色に対する偏差（Δｙin，Δｒin，Δｔin）を算出する。
【数１】
2010166158.tif 000003
また，前記映像処理回路２は，次の（Ｄ２）式に基づいて，色調整の重み係数Ｗyrtを算出する。
【数２】
2010166158.tif 000004
そして，前記映像処理回路２は，次の（Ｄ３）式に基づいて，前記入力映像信号に対する前記色調整処理後のＹ値，Ｃｂ値及びＣｒ値である（Ｙout，Ｃｂout，Ｃｒout）を算出する。
【数３】
2010166158.tif 000005
【００２３】
なお，以上に示した（Ｄ１）式〜（Ｄ３）式を統合した式が，次の（Ｄ０）式である。
【数４】
2010166158.tif 000006
【００２４】
前記映像処理回路２（信号補正手段の一例）が，以上に示した（Ｄ１）式〜（Ｄ３）式に基づく色調整処理を行えば，前記指定色領域Ａｘの内側の色を表す前記入力映像信号の信号値が，以下のように補正される。
即ち，前記入力映像信号の信号値の表す色が前記指定色領域Ａｘにおける前記中心位置Ｐｃの色である場合，前記色補正の重み係数Ｗyrt＝１となり，当該色の輝度Ｙin，彩度ｒin及び色相ｔin各々が，前記基準補正係数（ｋbri，ｋsat，ｋhue）に応じた補正量だけ補正される。この場合の輝度，彩度及び色相各々の補正量（加算量）は，前記入力映像信号の輝度Ｙin，彩度ｒin，色相ｔinに対して前記基準補正係数ｋbri，ｋsat，ｋhueを乗算して得られる値である。
また，前記入力映像信号の信号値の表す色が前記指定色領域Ａｘにおける前記中心位置Ｐｃの色以外である場合（その他の場合），前記入力映像信号の信号値の表す色の色空間における位置が前記指定色領域Ａｘの境界位置に近いほど（前記中心位置Ｐｃから離れるほど），前記色補正の重み係数Ｗyrtがより０に近づく。その結果，前記入力映像信号の信号値の色の位置が前記指定色領域Ａｘの境界位置に近いほどより小さくなる補正量だけ，当該信号値の色の輝度Ｙin，彩度ｒin及び色相ｔin各々が補正される。なお，前記指定色領域Ａｘの境界位置の色の信号値については補正量が０（ゼロ）となる。そのため，信号値の補正前後において，色の連続性（グラデーション）が確保される。
【００２５】
そして，本実施形態においては，前記映像処理回路２が，以上に示した前記入力映像信号の信号値の補正処理を行うことにより，前記補正対象色範囲Ａｙの色を表す信号値の縮小補正を行う。
具体的には，前記映像処理回路２は，図２に示されるような前記指定色領域Ａｘについて前記入力映像信号の信号値の補正処理を行う。
即ち，前記指定色領域Ａｘの中心位置Ｐｃの色の彩度Ｃｕ'ｖ'，明度Ｌ*及び色相は，それぞれ前記拡張色再現範囲Ｃｓ２の赤色の色相における，前記中間の彩度ＳＡＴ2のときの最高の明度ＢＲＩ1（＝６２），最大の彩度ＳＡＴ1（０．３６），及び赤色の色相（ｕ'ｖ'平面の極座標における角度１０９°の方向の色相）である。
前記指定色領域Ａｘの明度及び彩度の幅（全幅の二分の一）は，それぞれ前記拡張色再現範囲Ｃｓ２における，赤色の色相の最高の彩度ＳＡＴ1での中間の明度ＢＲＩ2から前記中間の彩度ＳＡＴ2における最高の明度ＢＲＩ1までの幅（ＳＡＴ1−ＳＡＴ2＝２２），及び赤色の色相の最高の彩度ＳＡＴ1から前記中間の彩度ＳＡＴ2までの幅（ＢＲＩ1−ＢＲＩ2＝０．１２）である。
また，前記指定色領域Ａｘの色相の幅（全幅の二分の一）は，例えば２５°程度である。
そして，前記映像処理回路２は，図２に示されるような前記指定色領域Ａｘについて，その中心位置Ｐｃの色が，赤色の色相における前記直線Ｌｘ上の位置Ｐｘの色へ変化するよう色補正を行う。ここで，位置Ｐｘの色の（明度［Ｌ*］，彩度［Ｃｕ'ｖ'］，色相）＝（４７．９，０．３２，１０９°）である。即ち，前記映像処理回路２は，そのような色補正を行うための前記基準補正係数（ｋbri，ｋsat，ｋhue）を設定する。
【００２６】
前記映像処理回路２は，以上に示した前記色調整用パラメータｙc，ｒc，ｔc，ｙw，ｒw，ｔw及び前記基準補正係数ｋbri，ｋsat，ｋhueを用いて，前述した（Ｄ１）式〜（Ｄ３）式に基づく信号値補正（縮小補正）を行う。
ここで，図２に示される前記指定色領域Ａｘと前記拡張色再現範囲Ｃｓ２との重複領域が，図３に示される前記補正対象色範囲Ａｙを一部に含む領域である。
従って，前記映像処理回路２による前記入力映像信号の信号値の補正処理により，前記補正対象色範囲Ａｙ内の色を表す前記入力映像信号の信号値が，その彩度及び明度が前記拡張色再現範囲Ｃｓ２と前記入力映像信号の準拠する規格（ここでは，ｓＲＧＢ規格）の色再現範囲Ｃｓ１との間の中間の色範囲内（直線Ｌｘの下側の範囲内）の彩度及び明度へ変化するよう補正される。
その結果，前記液晶パネル４によってその色再現範囲Ｃｓ２よりも狭い色再現範囲Ｃｓ１の規格（ｓＲＧＢ規格等）に準拠した前記入力映像信号に基づく映像表示を行う場合に，彩度の高い鮮やかな赤色を表示可能な前記液晶パネル４の長所を活かしつつ，明度及び彩度が最高に近い一部の赤色の色領域の映像が光って見えてしまう問題を解消できる。
【００２７】
また，前記映像処理回路２が，以上に示した前記入力映像信号の信号値の補正処理をＹｒｔ色空間での信号値を用いて実行することも考えられる。
図５は，液晶表示装置Ｘにおける色補正の範囲をＹｒｔ色空間において表した図である。即ち，図５は，Ｙｒｔ色空間における赤色の色相の断面を表し，図２に示した色度図をＹｒｔ色空間内に変換して記した図である。なお，図５において，図２に示される色度図上の色及び色の範囲と同じ色及び色の範囲については，図２において付された符号と同じ符号が付されている。
図５に示されるように，Ｙｒｔ色空間においては，前記指定色領域Ａｘの中心位置Ｐｃの座標が（ｒ，Ｙ）＝（０．４５，０．３１），前記指定色領域Ａｘのｒ方向の幅が０．６，前記指定色領域Ａｘのｙ方向の幅が０．３８となる。
また，前記指定色領域Ａｘの中心位置Ｐｃの色の補正後の色を表す位置Ｐｘの座標が（ｒ，Ｙ）＝（０．２９，０．１９）となる。
なお，図５において，色相を表すｔの値は０．２８６である。また，図５において，前記拡張色再現範囲Ｃｓ２における赤色の色相での最高の彩度のときの最高の明度の色の位置Ｐｙの座標は，（ｒ，Ｙ）＝（０．４５，０．２４）となる。また，図５においてＬｘで示される曲線は，図２に示される直線ＬｘをＹｒｔ色空間内へ変換したものである。
図５に示されるように，前記入力映像信号の信号値の補正処理をＹｒｔ色空間での信号値を用いて行っても，前述した実施形態と同様の作用効果が得られる。
【産業上の利用可能性】
【００２８】
本発明は，映像表示装置への利用が可能である。
【符号の説明】
【００２９】
Ｘ  ：液晶表示装置
１  ：映像信号入力部
２  ：映像処理回路
３  ：液晶駆動回路
４  ：液晶パネル
５  ：ＬＥＤ給電回路
６  ：ＬＥＤバックライト
７  ：調光回路
８  ：メイン制御回路
８１：ＭＰＵ
８２：ＥＥＰＲＯＭ
Ａｘ：指定色領域
Ａｙ：補正対象色範囲
【図１】
2010166158.tif 000007
【図２】
2010166158.tif 000008
【図３】
2010166158.tif 000009
【図４】
2010166158.tif 000010
【図５】
2010166158.tif 000011
【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
ｓＲＧＢ規格の色再現範囲よりも広い色再現範囲である拡張色再現範囲で映像を表示する広色域ディスプレイを備え，前記拡張色再現範囲よりも狭い色再現範囲の規格に準拠した入力映像信号を補正して前記広色域ディスプレイに入力させる映像表示装置であって，
前記拡張色再現範囲における，赤色の色相を中心とする所定の色相範囲内の最高の彩度から中間の彩度に至る所定の彩度範囲内であり，その範囲内における最高の明度から中間の明度に至る所定の明度範囲内である補正対象色範囲内，の色を表す前記入力映像信号の信号値を，その彩度及び明度が前記拡張色再現範囲と前記入力映像信号の準拠する規格の色再現範囲との間の予め定められた中間の色範囲内の彩度及び明度へ変化するよう縮小補正する信号補正手段，
を具備してなり，
前記予め定められた中間の色範囲が，Ｌ*ｕ'ｖ'色空間における彩度Ｃｕ'ｖ'と明度Ｌ*とが次の（Ａ１）式を満たす色範囲であることを特徴とする映像表示装置。
Ｌ*≦−１７８．８×Ｃｕ'ｖ'＋１０５．１ …（Ａ１）
【請求項２】
前記広色域ディスプレイが，ＬＥＤを光源とするバックライトにより照明される液晶パネルである請求項１に記載の映像表示装置。
【請求項３】
前記所定の彩度範囲の下限となる前記中間の彩度が，前記拡張色再現範囲における赤色の色相での最高の彩度に対して略７０％の彩度である請求項１又は２のいずれかに記載の映像表示装置。
【手続補正２】
【補正対象書類名】明細書
【補正対象項目名】０００６
【補正方法】変更
【補正の内容】
【０００６】
上記目的を達成するために，本発明に係る映像表示装置は，ｓＲＧＢ規格の色再現範囲よりも広い色再現範囲である拡張色再現範囲を有する広色域ディスプレイを備え，前記拡張色再現範囲よりも狭い色再現範囲の規格（例えば，ｓＲＧＢ規格やｓＹＣＣ規格等）に準拠した入力映像信号を補正して前記広色域ディスプレイに入力させるものであり，次の（１）に示される構成要素を備えている。
（１）前記拡張色再現範囲における，赤色の色相を中心とする所定の色相範囲内の最高の彩度から中間の彩度に至る所定の彩度範囲内であり，その範囲内における最高の明度から中間の明度に至る所定の明度範囲内である補正対象色範囲内，の色を表す前記入力映像信号の信号値を，その彩度及び明度が前記拡張色再現範囲と前記入力映像信号の準拠する規格の色再現範囲との間の予め定められた中間の色範囲内の彩度及び明度へ変化するよう縮小補正する信号補正手段。
ここで，前記予め定められた中間の色範囲は，例えば，前記補正対象色範囲における前記拡張色再現範囲を基準にして，彩度が最高の彩度に近づくほどその彩度における明度の上限がより低くなる範囲である。
具体的に，前記評価実験の結果から，前記予め定められた中間の色範囲は，Ｌ*ｕ'ｖ'色空間における彩度Ｃｕ'ｖ'と明度Ｌ*とが次の（Ａ１）式を満たす色範囲である。
Ｌ*≦−１７８．８×Ｃｕ'ｖ'＋１０５．１ …（Ａ１）
【手続補正３】
【補正対象書類名】明細書
【補正対象項目名】０００７
【補正方法】変更
【補正の内容】
【０００７】
本発明によれば，明度及び彩度が最高に近い一部の赤色の色領域である前記補正対象色範囲の色の彩度及び明度が，前記拡張色再現範囲と前記入力映像信号の準拠する規格の色再現範囲との間の中間の色範囲内の彩度及び明度へ変化するよう色補正が行われる。
これにより，明度及び彩度が最高に近い一部の赤色の色領域の映像が光って見えてしまう問題を解消できる。しかも，前記補正対象色範囲以外の色については，前記色補正の対象外であり，また，前記色補正がなされても，前記入力映像信号の準拠する規格の色再現範囲よりも広い色再現範囲が確保されるので，彩度の高い鮮やかな赤色を表示可能な前記広色域ディスプレイの長所を活かすことができる。
また，前記広色域ディスプレイの典型例は，ＬＥＤを光源とするバックライトにより照明される液晶パネルである。
そして，複数の被験者により，ＬＥＤを光源とするバックライトにより照明される液晶パネルを前記広色域ディスプレイとして用いて視覚を通じた評価実験を行った結果，前記所定の彩度範囲の下限となる前記中間の彩度は，例えば，前記拡張色再現範囲における赤色の色相での最高の彩度に対して略７０％の彩度であることが好適である。